(57)【要約】【課題】温かい薬液等に内視鏡が浸漬された時に逆止弁が開かないようにして、内視鏡の薬液浸漬等を安全に行うことができる内視鏡の内圧調整装置を提供すること。【解決手段】弁開放アダプタ５０が逆止弁１０に取り付けられた状態では、内視鏡内部が外部より低圧のとき逆止弁１０が閉じて、内視鏡内部が外部より高圧になると逆止弁１０が開くように構成された内視鏡の内圧調整装置において、弁開放アダプタ５０が逆止弁１０に取り付けられていない状態のときに、内視鏡内部の圧力が外部より高くなっても逆止弁１０が開かないように、逆止弁１０を強制的に閉状態に維持するための閉状態強制維持手段２２ｂを設けた。【選択図】      図１
2005168540.tif 000002
【特許請求の範囲】
【請求項１】
外部との間を仕切る外壁がすべて気密に構成された内視鏡の外壁部に設けられた逆止弁に弁開放アダプタが着脱自在に取り付けられて、上記弁開放アダプタが上記逆止弁に取り付けられた状態では、上記内視鏡内部が外部より低圧のとき上記逆止弁が閉じて、上記内視鏡内部が外部より高圧になると上記逆止弁が開き、上記弁開放アダプタが上記逆止弁から取り外される途中の過程においては、上記逆止弁が強制的に開状態になるように構成された内視鏡の内圧調整装置において、
上記弁開放アダプタが上記逆止弁に取り付けられていない状態のときに、上記内視鏡内部の圧力が外部より高くなっても上記逆止弁が開かないように、上記逆止弁を強制的に閉状態に維持するための閉状態強制維持手段を設けたことを特徴とする内視鏡の内圧調整装置。
【請求項２】
上記逆止弁には、弁体に連結された駆動ピンに係合して上記弁体の開閉駆動を行うためのカム溝が形成されていて、上記弁開放アダプタが、上記逆止弁に着脱される動作に伴って上記駆動ピンと上記カム溝との係合状態を変化させる請求項１記載の内視鏡の内圧調整装置。
【請求項３】
上記カム溝が、上記弁開放アダプタが上記逆止弁に取り付けられている状態においては上記駆動ピンの位置を強制的に規制せず、上記弁開放アダプタが上記逆止弁に着脱される途中の過程においては上記逆止弁が開状態になるように上記駆動ピンの位置を強制的に規制し、上記弁開放アダプタが上記逆止弁から取り外された状態においては上記逆止弁が閉状態になるように上記駆動ピンの位置を強制的に規制する形状に形成されている請求項２記載の内視鏡の内圧調整装置。
【発明の詳細な説明】
【技術分野】
【０００１】
この発明は、オートクレーブ又はエチレンオキサイドガス（ＥＯＧ）等によって滅菌されることのある内視鏡に設けられた内圧調整装置に関する。
【背景技術】
【０００２】
内視鏡を滅菌するためにエチレンオキサイドガスやオートクレーブ等を行うためには、内視鏡を収容した滅菌室内を一旦減圧する必要があり、内視鏡をそのような低圧環境に耐えられる構造にする必要がある。
【０００３】
その際に問題になるのは、内視鏡の外装のなかで最も柔軟な部分、例えば一般にゴムで形成されている湾曲部の被覆チューブ等が、減圧時に膨らんで破裂してしまう場合があることである。
【０００４】
そこで、内視鏡内部から外部へは気体を通過させ、内視鏡外部から内部へは気体を通過させない逆止弁を設けて、減圧滅菌室内では内視鏡内の空気が外部へ抜けて内圧が下げられ、且つ滅菌時や洗浄時には蒸気、ガス又は洗浄水等が内視鏡内に侵入しないようにしている。
【０００５】
ただし、そのような構造をとると、内視鏡の滅菌処理が終了した後も内視鏡の内圧が大気圧に比べて低い状態のままになるので、湾曲部の被覆チューブ等がその内側の部材の間に食い込んだ状態になって故障の原因になる恐れがある。
【０００６】
そこで従来は、滅菌処理中は逆止弁に対して着脱自在な弁開放アダプタを逆止弁に取り付けておき、滅菌処理終了後に弁開放アダプタを逆止弁から取り外す途中で、逆止弁がカム機構により強制的に開かれた状態になって内視鏡の内部と外部とが連通した状態になるようにしている。
【０００７】
ただし、弁開放アダプタを滅菌処理後に逆止弁に着脱するやり方では着脱すること自体を忘れてしまうおそれがあるので、滅菌処理前に弁開放アダプタを逆止弁に取り付けて、滅菌処理後に必ず取り外さなければならないようにしてある。
【０００８】
したがって逆止弁は、弁開放アダプタが取り付けられた状態において、内視鏡内部が外部より低圧のときは閉じて、内視鏡内部が外部より高圧になったときに開くようになっている（例えば、特許文献１）。
【特許文献１】特開平１０−３２８１３２
【発明の開示】
【発明が解決しようとする課題】
【０００９】
上述のような従来の内視鏡の内圧調整装置において、逆止弁に弁開放アダプタが取り付けられていない状態の時には、弁開放アダプタが取り付けられた状態と全く同じように、内視鏡内の圧力が外部より高くなると逆止弁が開く。そのため、温かい薬液等に内視鏡が浸漬されると、内視鏡の内圧が上昇して逆止弁が開き、その結果、薬液等が内視鏡内に流入して重大な故障の原因になる場合があった。
【００１０】
そこで本発明は、温かい薬液等に内視鏡が浸漬された時に逆止弁が開かないようにして、内視鏡の薬液浸漬等を安全に行うことができる内視鏡の内圧調整装置を提供することを目的とする。
【課題を解決するための手段】
【００１１】
上記の目的を達成するため、本発明の内視鏡の内圧調整装置は、外部との間を仕切る外壁がすべて気密に構成された内視鏡の外壁部に設けられた逆止弁に弁開放アダプタが着脱自在に取り付けられて、弁開放アダプタが逆止弁に取り付けられた状態では、内視鏡内部が外部より低圧のとき逆止弁が閉じて、内視鏡内部が外部より高圧になると逆止弁が開き、弁開放アダプタが逆止弁から取り外される途中の過程においては、逆止弁が強制的に開状態になるように構成された内視鏡の内圧調整装置において、弁開放アダプタが逆止弁に取り付けられていない状態のときに、内視鏡内部の圧力が外部より高くなっても逆止弁が開かないように、逆止弁を強制的に閉状態に維持するための閉状態強制維持手段を設けたものである。
【００１２】
なお、逆止弁に、弁体に連結された駆動ピンに係合して弁体の開閉駆動を行うためのカム溝が形成されていて、弁開放アダプタが、逆止弁に着脱される動作に伴って駆動ピンとカム溝との係合状態を変化させるようにしてもよい。
【００１３】
その場合、カム溝が、弁開放アダプタが逆止弁に取り付けられている状態においては駆動ピンの位置を強制的に規制せず、弁開放アダプタが逆止弁に着脱される途中の過程においては逆止弁が開状態になるように駆動ピンの位置を強制的に規制し、弁開放アダプタが逆止弁から取り外された状態においては逆止弁が閉状態になるように駆動ピンの位置を強制的に規制する形状に形成されていてもよい。
【発明の効果】
【００１４】
本発明によれば、弁開放アダプタが逆止弁に取り付けられていない状態のときに、内視鏡内部の圧力が外部より高くなっても逆止弁が開かないように、逆止弁を強制的に閉状態に維持するための閉状態強制維持手段を設けたことにより、温かい薬液等に内視鏡が浸漬されても逆止弁が開かないので、内視鏡の薬液浸漬等を安全に行うことができる。
【発明を実施するための最良の形態】
【００１５】
弁開放アダプタが逆止弁に取り付けられていない状態のときに、内視鏡内部の圧力が外部より高くなっても逆止弁が開かないように、逆止弁を強制的に閉状態に維持するための閉状態強制維持手段を設ける。
【実施例】
【００１６】
図面を参照して本発明の実施例を説明する。
図３は、内視鏡の全体構成を示しており、操作部１に連結された挿入部２の先端部分には、操作部１に設けられた操作レバー３による遠隔操作によって屈曲自在な湾曲部４が設けられている。湾曲部４は、柔軟なゴムチューブによって被覆されている。
【００１７】
操作部１から延出する可撓性連結管６の先端には、図示されていない光源装置に着脱自在に接続されるライトガイドコネクタ７が取り付けられている。５は接眼部であり、電子内視鏡の場合には不要となる。
【００１８】
この内視鏡は、パッキングやＯリングなどによって、外部との間を仕切る隔壁がすべて気密に構成され、内部は各部が互いに連通している。そして、ライトガイドコネクタ７には、エチレンオキサイドガスやオートクレーブなどによる滅菌時に内視鏡内部の圧力を調整するための逆止弁１０が突設され、その逆止弁１０に対して着脱自在に弁開放アダプタ５０が設けられている。
【００１９】
逆止弁１０は、弁開放アダプタ５０が取り付けられた状態において、内視鏡内部の圧力が外部より高くなると開いて内部から外部に気体を通過させ、内視鏡内部の圧力が外部より低いときは閉じて外部から内部へは気体を通過させないものである。
【００２０】
図１と図４は、逆止弁１０に弁開放アダプタ５０が取り付けられていない状態と取り付けられた状態を示しており、内視鏡の外部と内部とを仕切るライトガイドコネクタ７の外壁から外方に突出する状態に設けられた略円筒状の弁座形成部材１４の外端近傍に、外方に向けてテーパ状に広がる形状の弁座１４ａが形成されている。１３はシール用のＯリングである。
【００２１】
弁座形成部材１４の外周部に被嵌されてネジ止め固定されたアダプタ受け筒１１の外壁面には、後述する弁開放アダプタ５０の案内溝５３と係合させるための係合ピン１２が側方に向けて突設されている。
【００２２】
弁体１５は、弁座形成部材１４内に軸方向に移動自在に且つ軸線周りに回転可能に配置されて、弁座１４ａに対向するテーパ面部分に円状に形成された溝にＯリング１６が装着されている。
【００２３】
したがって、そのＯリング１６が弁座１４ａに押し付けられると、逆止弁１０が閉じて内視鏡の内部と外部との間が完全に閉塞された状態になり、逆に、弁体１５が外方に移動してＯリング１６が弁座１４ａから離れると、その隙間を介して内視鏡の内部と外部との間が連通した状態になる。
【００２４】
なお、弁座１４ａより外側に位置する弁体１５の外端部分には、後述する弁開放アダプタ５０を係合させて弁体１５を軸線周りに回転させるための駆動溝１５ａが、外面に開口する通気口を兼ねて形成されている。
【００２５】
弁体１５は、Ｏリング１６が弁座１４ａに押し付けられて逆止弁１０が閉じられる方向に圧縮コイルスプリング１７によって付勢されており、圧縮コイルスプリング１７の付勢力に抗して弁体１５を押し上げて逆止弁１０を外部から強制的に開くための駆動ピン１９が、弁体１５の内端近傍の側面に突設されている。
【００２６】
弁体１５の内端部分には、圧縮コイルスプリング１７の一端を受けるバネ受け筒１８が駆動ピン１９によって連結固定されている。このバネ受け筒１８は、弁座形成部材１４内に緩く嵌合しているが、弁体１５と一体に軸線方向に進退自在であり、その外周部分には軸線と平行方向に複数の通気溝１８ａが形成されている。
【００２７】
弁座形成部材１４の筒状部分の側壁には、駆動ピン１９を駆動するためのカム溝２２が形成されている。このカム溝２２には、図２の展開図に示されるように、圧縮コイルスプリング１７の付勢力によって駆動ピン１９が押し付けられる山形のカム面が下面に形成されている。
【００２８】
カム溝２２は、弁開放アダプタ５０が逆止弁１０に取り付けられた状態の時に、その時の弁体１５の開閉動作に伴う駆動ピン１９″の移動を規制することがないように、山形のカム面の底部から上方に開放された形状に形成されている。２２ａがその部分である。
【００２９】
カム溝２２の山形のカム面の中間部分は、弁体１５を強制的に開状態にするように、その位置に来た駆動ピン１９′を圧縮コイルスプリング１７の付勢力に抗して押し上げるように機能する。
【００３０】
そして、弁開放アダプタ５０が逆止弁１０に取り付けられた状態から取り外れされる方向に所定の最大回転角θまで回転されたときに駆動ピン１９が係合する位置には、駆動ピン１９が弁開状態に移動するのを阻止するピン当接部２２ｂ（閉状態強制維持手段）がカム溝２２の上面に形成されている。
【００３１】
このように構成された逆止弁１０においては、弁開放アダプタ５０が取り付けられた状態では、圧縮コイルスプリング１７の付勢力によって弁体１５のＯリング１６が弁座１４ａに押し付けられて閉じており、内視鏡外部の圧力が内部の圧力より一定以上低下すると、その差圧によって弁体１５が外方向に押し出されて弁座１４ａとＯリング１６との間に隙間ができた弁開状態になる。
【００３２】
弁体１５が、弁開放アダプタ５０の取り外し方向に最大回転角θまで回転操作される途中の位置では、カム溝２２の山形のカム面によってその位置に来た駆動ピン１９′が押し上げられてＯリング１６が弁座１４ａから離れ、逆止弁１０が強制的に開かれて内視鏡の内外が連通した強制的開状態になる。
【００３３】
そして、弁体１５がさらに弁開放アダプタ５０の取り外し方向に最大回転角θまで回転操作されると、駆動ピン１９が山形のカム面の斜面を下って弁体１５が次第に弁座１４ａに近づき、圧縮コイルスプリング１７の付勢力によって弁体１５のＯリング１６が弁座１４ａに押し付けられて逆止弁１０が閉じた状態に戻り、駆動ピン１９の開方向への移動がピン当接部２２ｂで阻止されて強制的閉状態が維持される。
【００３４】
図５は弁開放アダプタ５０を単体で示しており、逆止弁１０のアダプタ受け筒１１に被嵌されるアダプタ本体筒５１の外壁部に、逆止弁１０の係合ピン１２を案内するための案内溝５３が形成され、頭部内には、弁体１５の駆動溝１５ａと係合する駆動片５４が突設されている。５５は通気孔である。
【００３５】
図６は、弁開放アダプタ５０が逆止弁１０に着脱される途中の状態を示しており、弁開放アダプタ５０のアダプタ本体筒５１を逆止弁１０のアダプタ受け筒１１に被嵌して、逆止弁１０の係合ピン１２を弁開放アダプタ５０の案内溝５３内に導くことにより逆止弁１０に対する弁開放アダプタ５０の着脱が行われ、VII−VII断面を図示する図７に示されるように、弁開放アダプタ５０の駆動片５４が逆止弁１０の駆動溝１５ａに係合して、弁体１５が弁開放アダプタ５０と共に軸線周りに回転する状態になる。
【００３６】
案内溝５３は、図８の展開図に示されるように、係合ピン１２が軸線方向に導かれる誘導溝５３ａに続いて周方向に直角に曲げられて、そこから最大回転角θ回転した端部５３ｂに至る中間部分にクランク部５３ｃが形成されている。このようなクランク部５３ｃは、弁開放アダプタ５０を逆止弁１０に対して軸線方向に移動させることになるが、逆止弁１０の開閉動作には何ら影響を与えない。
【００３７】
このように、中間部分にクランク部５３ｃが形成されていて、係合ピン１２がそこを一気に通過させることができないので、弁開放アダプタ５０を逆止弁１０から取り外す際に図６に図示される強制的開状態になる時間が一定以上確保され、減圧状態にある内視鏡内に確実に外気を導入させて内視鏡内を外部の大気圧と等圧にすることができる。
【００３８】
そして、弁開放アダプタ５０が取り外し方向に軸線回りに最大回転角θまで回転されて、係合ピン１２が案内溝５３の端部５３ｂに達すると、図２に示されるように、駆動ピン１９がカム溝２２のピン当接部２２ｂに導かれた強制的閉状態になる。
【００３９】
図１に示されるように、逆止弁１０から弁開放アダプタ５０が取り外されて逆止弁１０が強制的閉状態になった状態では、弁体１５に装着されたＯリング１６が圧縮コイルスプリング１７の付勢力により弁座１４ａに圧接されていて、その状態が駆動ピン１９とカム溝２２のピン当接部２２ｂとの係合によって維持されている。
【００４０】
したがって、逆止弁１０に弁開放アダプタ５０を取り付けていない状態では、内視鏡内部の圧力が外部より高くなっても逆止弁１０が開状態にならないので、内視鏡を温かい薬液等に浸漬しても逆止弁１０からの水漏れが発生しない。
【００４１】
図９は、弁開放アダプタ５０のアダプタ本体筒５１と同形状の接続筒５１′に、図示されていない加圧ポンプに一端が接続された給気チューブ６０の他端側を接続して構成された漏洩検知アダプタが、逆止弁１０に接続された状態を示している。
【００４２】
接続筒５１′には、弁開放アダプタ５０と同様の駆動片５４′が設けられているので、接続筒５１′を逆止弁１０に取り付けて軸線周りに回転させることにより逆止弁１０の弁体１５が回転し、それによって駆動ピン１９が回動する。
【００４３】
ただし、係合ピン１２と係合させるために接続筒５１′に形成されている案内溝５３′は、図１０に展開図が示されるように、弁開放アダプタ５０の案内溝５３の半分の長さ（回転角にしてθ／２）なので、接続筒５１′が逆止弁１０に取り付けられた状態においては逆止弁１０が強制的開状態になる。
【００４４】
したがって、その状態で給気チューブ６０を通じて逆止弁１０から内視鏡内に加圧空気を送り込むことにより、内視鏡の外壁部にピンホール等が生じていれば、そこから泡が出てくるのを視認することができる。
【図面の簡単な説明】
【００４５】
【図１】本発明の実施例の内視鏡の内圧調整装置の逆止弁に弁開放アダプタが取り付けられていない状態の側面断面図である。
【図２】本発明の実施例の内視鏡の内圧調整装置の逆止弁のカム溝の展開図である。
【図３】本発明の実施例の内視鏡の全体構成を示す外観図である。
【図４】本発明の実施例の内視鏡の内圧調整装置の逆止弁に弁開放アダプタが取り付けられた状態の側面断面図である。
【図５】本発明の実施例の内視鏡の内圧調整装置の弁開放アダプタの側面半断面図である。
【図６】本発明の実施例の内視鏡の内圧調整装置において逆止弁が強制的開状態になっている状態の側面断面図である。
【図７】本発明の実施例の内視鏡の内圧調整装置の図６におけるVII−VII断面図である。
【図８】本発明の実施例の内視鏡の内圧調整装置の弁開放アダプタの案内溝の展開図である。
【図９】本発明の実施例の内視鏡の内圧調整装置の逆止弁に漏洩検知アダプタが取り付けられた状態の側面断面図である。
【図１０】本発明の実施例の内視鏡の内圧調整装置の漏洩検知アダプタの案内溝の展開図である。
【符号の説明】
【００４６】
１０  逆止弁
１２  係合ピン
１４ａ  弁座
１５  弁体
１６  Ｏリング
１９  駆動ピン
２２  カム溝
２２ｂ  ピン当接部（閉状態強制維持手段）
５０  弁開放アダプタ
５３  案内溝
５４  駆動片
【図１】
2005168540.tif 000003
【図２】
2005168540.tif 000004
【図３】
2005168540.tif 000005
【図４】
2005168540.tif 000006
【図５】
2005168540.tif 000007
【図６】
2005168540.tif 000008
【図７】
2005168540.tif 000009
【図８】
2005168540.tif 000010
【図９】
2005168540.tif 000011
【図１０】
2005168540.tif 000012